(57)【特許請求の範囲】
【請求項１】
液晶表示される平面な画面と、
画面の周囲に設けられ、画面と平行な面を備えたフレームと、
画面の、少なくとも上下方向の角度を変化させることが可能な角度調整機構と、を備えた液晶表示装置において、
前記フレーム又は画面の少なくとも一方に、画面に垂直な方向から、画面の色の変化が許容範囲内であるとしてあらかじめ設定した角度と同じ角度の変化で、その外観が変化するレンチキュラーレンズを用いた可変視用印刷物を備えることを特徴とする液晶表示装置。
【請求項２】
前記可変視用印刷物は、あらかじめ設定した前記角度より小さな角度の変化では、外観が変化しないことを特徴とする請求項１に記載の液晶表示装置。
【請求項３】
前記可変視用印刷物は、前記レンチキュラーレンズの厚み及び屈折率と、あらかじめ設定した前記角度とから算出される位置に印刷が施されていることを特徴とする請求項１又は２に記載の液晶表示装置。
【請求項４】
液晶表示される平面な画面と、
画面の周囲に設けられ、画面と平行な面を備えたフレームと、
画面の、少なくとも上下方向の角度を変化させることが可能な角度調整機構と、前記フレーム又は画面の少なくとも一方に、画面の視野角と同じ角度の変化で、外観が変化するレンチキュラーレンズを用いた可変視用印刷物を備えた液晶表示装置の画面角度設定方法であって、
画面が作業者の視線とほぼ直角をなすように調整した際に前記可変視用印刷物において観察される外観と、同じ外観を呈するように前記調整機構で画面の角度を変化させて画面角度の設定を行う画面角度設定方法。
【発明の詳細な説明】
【技術分野】
【０００１】
本発明は、表示されるデータを、安定した品質で観察することができる液晶表示装置及び安定した品質で観察できることを可能にする液晶表示装置の画面角度設定方法に関し、さらに詳しくは、印刷に用いる印刷データのように、表示品質が重要であるデータを、安定した視角で観察することを可能にする液晶表示装置及び液晶表示装置の画面角度設定方法に関する。
【背景技術】
【０００２】
近年、印刷物を印刷するための印刷データを作成する工程は、デスクトップパブリッシング（ＤＴＰ：Ｄｅｓｋｔｏｐ  Ｐｕｂｌｉｓｈｉｎｇ）で行われている。これは、印刷物のデザインやレイアウトを、パソコン（パーソナルコンピュータ）やワークステーションを用いて行い、印刷データを作成する、というものである。
これは、パソコンの技術的進歩と、ＤＴＰに用いるソフトウェアの発達によってもたらされたものであり、おおがかりな設備を要せず、印刷データを作成することができる。
【０００３】
ところで、デザインやレイアウトの作業を行うにあたっては、色が重要な要素であり、色の管理（カラーマネージメント）技術は重要である。しかし、ＤＴＰを行うにあたって、パソコンの画面上では、光の三原色である赤、緑、青紫のいわゆるＲＧＢで表現されている。これに対し、印刷インキ等の物体の色は、光源からの光を反射した色であり、その三原色は、黄、マゼンタ、シアンのいわゆるＹＭＣで表現される。実際には、墨（Ｂｋ）も含めたＹＭＣＢｋで表現される。
そのため、画面上で観察される色と、確認のためにプリンタ出力をした際、すなわち中間的印刷物に観察される色と、最終的な印刷物で観察される色の整合性を持たせることが非常に難しく、これを一致させるために、様々なカラーマネージメント技術が開発されてきた。画面上で観察される色と、印刷物で観察される色が一致するように表現する技術は、ウィジウィグ（ＷＹＳＩＷＹＧ）と呼ばれ、技術の改良が進められてきた。
このような努力の結果、画面上で観察される色と、印刷物で観察される色は、極めて近似させることが可能になってきており、その結果、ＤＴＰを行う際に、画面上で色の調整等を行えば、最終的な印刷物上で表現される色も、ほぼ同じイメージで印刷できるようになってきている。したがって、ＤＴＰを行う現場では、画面上で色の微妙な調整、そして決定を行っているのが現状であり、印刷物を迅速に提供することができるようになっている。
【０００４】
しかし、このように色の微妙な調整、そして決定が行うことが可能になってきた状況下でも、やはり、画面上で観察される色と、印刷物で観察される色に相違が生ずるという問題は生じていた。この一因として、表示装置の特性が挙げられるため、次に説明する。
パソコンの表示装置としては、高表示品質、薄型、低消費電力等の特徴から、液晶表示装置が主流であるが、液晶表示装置においては、画面を見る角度で色が異なることが避けられなかった。特に、近年、大画面の液晶表示装置も価格が低下し、作業性の面から、大きな画面が好まれ、その場合は、画面を見る角度にも作業者によって個人による癖が生じやすい。
したがって、座る姿勢や画面をどのように見るかは、個人の癖があり、また、複数人で作業する場合には、個人間の差も生じやすい。このような個人の癖や個人差があると、結果的に画面上で観察される色と、印刷物で観察される色に相違が生ずることにつながっていた。
さらに、液晶表示装置は、液晶を配向させ、電圧を加えて液晶の向き、角度を変化させることで、表示を行っているため、液晶の向きと観察方向によって、バックライトからの光の透過率が異なるため、画面を見る角度で色が異なってしまうといわれている。この点については、液晶表示装置の表示方式として、ＩＰＳ（Ｉｎ  Ｐｌａｎｅ  Ｓｗｉｃｈｉｎｇ）方式やＶＡ（Ｖｅｒｔｉｃａｌ  Ａｌｉｇｎｍｅｎｔ）方式等が提案され、また、液晶表示装置に用いられる偏光フィルムによって、改良を図る等の努力がされているが、限界がある。
なお、画面上で観察される色は、画面の観察角度によって変化してしまうが、通常、画面に対して垂直方向から観察した場合に観察される色が、印刷物で観察される色と合わせられている。
【０００５】
公知文献を以下に示す。
【特許文献１】特開平６−３８１３６号公報
【特許文献２】特開２００５−３４１１０５号公報
【特許文献３】特開２００６−１３１１５３号公報
【０００６】
特開平６−３８１３６号公報では、画面は、液晶の特性上の問題により視野角が狭いことが指摘されており、設置場所に制限のある自動車内では、本体機器は固定する必要があるため、角度調節でも画面が見にくい場合には、コントラスト調節により画面を見易くしなければならず、最適な見やすさとするためには時間を要するものであった、との指摘がされている。そして、画面の角度を調節すると同時に、その画面角度に対応した最適なコントラストに自動的に調節する表示装置が提案されている。
【０００７】
また、特開２００５−３４１１０５号公報では、液晶表示装置の設置方法を可動式とすること、その設置状態を検出して記憶装置に記憶させること、記憶された設置状態によって最適化された画質データによって画質制御を行って表示する、という技術が開示されている。これにより、使用者が自由に設置方法及び視聴角度を変更してもそれに応じた最適な画質で視聴できる、としている。
【０００８】
特開２００６−１３１１５３号公報には、車両の搭乗者の視点位置と、車載用ディスプレイに太陽光線が入射し、かつその反射光が視点位置を含む所定の範囲に照射される場合には、太陽光線の入射方向等を算出し、反射光の所定範囲への照射を阻止する照射阻止用画面角度の算出手段を備え、車載用ディスプレイを照射阻止用画面角度に変更する、ディスプレイの画面角度制御装置が開示されている。
【０００９】
これらはいずれも、視聴角度が変化しても、コントラスト、設置状態に基づく制御、ディスプレイの角度制御を行うことで、高品位な観察を行うことができるというものである。
【発明の開示】
【発明が解決しようとする課題】
【００１０】
しかし、印刷データを作成する工程では、画面に垂直方向から見た色で、色の調整を行うことで、印刷物でも同じ色が得られることになるのであり、その観点からは、現在観察している角度が、垂直方向又は色の変化が許容範囲である観察角度であるかどうかが重要である。
論理的には、垂直方向であることを作業開始時に確定し、そこから動かなければ、観察角度が許容範囲から外れることはないのであるが、作業者が人間である以上、動かないことは難しく、動かないようにしようとすれば、疲労が蓄積する等、別の面での障害が生ずることになる。
そこで、本発明の課題とするところは、現在、作業者が液晶表示装置を観察している画面の角度が、色の変化が許容範囲である観察角度の範囲であるかどうかが、作業者自身にとって容易に判断できる液晶表示装置を提供することにある。
また、本発明の他の課題は、作業者が作業姿勢をとったときに、液晶表示装置の画面の角度を、色の変化が許容範囲である観察角度の範囲に調整することが作業者自身にとって容易にできる、また複数作業者で作業を行う場合に、作業者全員がほぼ同様の観察角度で観察できるように画面の角度を作業者自身が容易に設定できる、調整液晶表示装置の画面角度設定方法を提供することにある。
【課題を解決するための手段】
【００１１】
すなわち、請求項１記載の発明は、液晶表示される平面な画面と、画面の周囲に設けられ、画面と平行な面を備えたフレームと、画面の、少なくとも上下方向の角度を変化させることが可能な角度調整機構と、を備えた液晶表示装置において、前記フレーム又は画面の少なくとも一方に、画面に垂直な方向から、画面の色の変化が許容範囲内であるとしてあらかじめ設定した角度と同じ角度の変化で、その外観が変化するレンチキュラーレンズを用いた可変視用印刷物を備えることを特徴とする液晶表示装置である。
【００１２】
液晶表示される平面な画面の垂直な方向から、画面の色の変化が許容範囲内であるとしてあらかじめ設定した角度より小さな角度の変化で、その外観が変化する角度確認手段を備えることにより、作業者は液晶表示装置で観察している画面の角度が、画面の色の変化が許容範囲である観察角度の範囲であるかどうかを、作業者自身が容易に判断できる。
【００１３】
また、請求項２記載の発明は、前記可変視用印刷物は、あらかじめ設定した前記角度より小さな角度の変化では、外観が変化しないことを特徴とする請求項１に記載の液晶表示装置である。
【００１４】
角度確認手段が、可変視用印刷物であるので、製作が容易であり、製作コストも安い。具体的には、上下方向に変化が生ずる可変視用印刷物が好適である。
【００１５】
可変視用印刷物は、蒲鉾型レンズ、すなわちレンチキュラーレンズを並べて形成したレンチキュラーレンズシートと印刷物との組み合わせ製作する。具体的には、前記レンチキュラーレンズシートの平坦面側に、可変視用画像等が印刷された印刷物を貼着したり、前記レンチキュラーレンズシートの平坦面に、可変視用画像等を直接印刷して製作する。
【００１６】
作業者は可変視用印刷物からなる角度確認手段で表示される画像等を見ることにより観察している角度が適正範囲であるのか、すなわち、画面の色の変化が許容範囲である観察角度であるのかを容易に確認することができる。
【００１７】
作業者は観察角度が適正範囲でなければ、角度確認手段で確認しながら液晶表示装置の角度調整機構で画面の角度を変えて適正な観察角度を得ることが可能である。
【００１８】
さらに、請求項３記載の発明は、前記可変視用印刷物は、前記レンチキュラーレンズの厚み及び屈折率と、あらかじめ設定した前記角度とから算出される位置に印刷が施されていることを特徴とする請求項１又は２に記載の液晶表示装置である。
【００２２】
請求項４記載の発明は、液晶表示される平面な画面と、画面の周囲に設けられ、画面と平行な面を備えたフレームと、画面の、少なくとも上下方向の角度を変化させることが可能な角度調整機構と、前記フレーム又は画面の少なくとも一方に、画面の視野角と同じ角度の変化で、外観が変化するレンチキュラーレンズを用いた可変視用印刷物を備えた液晶表示装置の画面角度設定方法であって、画面が作業者の視線とほぼ直角をなすように調整した際に前記可変視用印刷物において観察される外観と、同じ外観を呈するように前記調整機構で画面の角度を変化させて画面角度の設定を行う画面角度設定方法である。
【００２３】
作業者が作業姿勢をとったときに、液晶表示装置の画面の角度を、画面の色の変化が許容範囲である観察角度の範囲に調整することが作業者自身にとって容易にでき、また複数作業者で作業を行う場合に、作業者全員がほぼ同様の観察角度で観察できるように画面の角度を作業者自身が容易に設定でき、調整機構で液晶表示装置の画面角度設定が行える。
【発明の効果】
【００２４】
請求項１記載の発明によれば、画面に垂直な方向から、画面の変化が許容範囲内であるとしてあらかじめ設定した角度より小さな角度の変化で、その外観が変化する角度確認手段を備えているため、現在、液晶表示装置を観察している画面の角度が、画面の色の変化が許容範囲である観察角度の範囲であるかどうかが、作業者自身にとって容易に判断できる。
【００２５】
本発明によれば、角度確認手段が立体視用あるいは可変視用印刷物であるため、立体視用あるいは可変視用印刷物内を見れば、画面の色の変化が許容範囲である観察角度の範囲であるかどうかが容易に確認できる。
【００２７】
請求項４記載の発明によれば、作業者が作業姿勢をとったときに、液晶表示装置の画面の角度を、画面の色の変化が許容範囲である観察角度の範囲に調整することが作業者自身にとって容易にできる、また複数作業者で作業を行う場合に、作業者全員がほぼ同様の観察角度で観察できるように画面の角度を作業者自身が容易に設定できる、調整液晶表示装置の画面角度設定が行える。あるいは、作業者が適正な範囲な作業姿勢をとることができる。
【発明を実施するための最良の形態】
【００２８】
以下、図面を参照し、本発明の一実施形態を説明する。
【００２９】
まず、液晶表示装置の画面に垂直な方向から、画面の色の変化が許容範囲内であるとして、あらかじめ設定した角度より小さな角度の変化で、その外観が変化する角度確認手段の仕様を決める方法について説明する。
【００３０】
ＴＮ型の液晶表示装置を用い、この液晶表示装置の画面の視角変化に伴う色、階調再現を計測した。
【００３１】
まず、液晶表示装置の画面の中央（画面の対角線の交点）と直交する位置に分光放射輝度計を設置し、この位置を視角０°と定義した。これは、ヒトの視線と液晶表示装置の画面の中央が直交する角度に相当する。
液晶表示装置は、電源を投入後、画面が安定した後、画面に、最大信号レベル（ＲＧＢをすべて２５５（白））にした場合と半値レベル（ＲＧＢをすべて１２５、所謂グレイ）の２種を表示させ、それらを被写体とした。
【００３２】
次に、液晶表示装置の角度調整機構を用いて視角０°を基準点として水平方向と垂直方向について画面の傾きを変化させ、分光輝度を計測し、ＣＩＥＸＹＺ  ２°視野の三刺激値を求めた。
具体的には、画面の傾きを視角０°を基準点として−４０°〜＋４０°の範囲で、５°単位で垂直方向と水平方向について変化させた。
【００３３】
図１に計測結果を、最大信号レベルでの測定結果を実線で、半値レベルでの測定結果を破線で示した。
図１（ａ）は輝度の水平方向視角依存性を、図１（ｃ）は輝度の垂直方向視角依存性をおのおの示しており、図のｘ軸が視角０°に対する視角を示し、ｙ軸はｘ軸の視角に対応する輝度を示している。
図１（ａ）と図１（ｃ）を比較すると図１（ｃ）の輝度の変化が急激であることから、垂直方向の視角が輝度に影響することがわかった。
図１（ｂ）は色度の水平方向視角依存性を、図１（ｄ）は色度の垂直方向視角依存性をおのおの示したｘｙ色度図である。図中の白丸が視角０°での色度を示している。
図１（ｂ）の最大信号レベルでは、色度は視角が変っても白となってほしいが、視角０°〜４０°、視角０°〜−４０°ともに変化すると、色度が白から徐々に赤かぶりしている。また、図１（ｂ）の半値レベルでは、色度は視角が変ってもグレイとなってほしいが、視角０°〜４０°、視角０°〜−４０°ともに変化すると、色度がグレイから徐々に赤かぶりしたグレイになっている。
図１（ｄ）の最大信号レベルでは、色度は視角が変っても白となってほしいが、視角０°〜４０°と変化すると、白から青かぶりに徐々に変化し、視角０°〜−４０°に変化すると色度が白から徐々に赤かぶりしている。また、図１（ｄ）の半値レベルでは、色度は視角が変ってもグレイとなってほしいが、視角０°〜４０°と変化すると、グレイから徐々に青かぶりしたグレイになり、視角０°〜−２５°（−２５°〜−４０°は、図（ｃ）に示すように輝度が計測不能となっている）に変化すると色度がグレイから徐々に赤かぶりしたグレイになっている。
図１（ｂ）と図１（ｄ）を比較すると図１（ｄ）の色度の変化幅があることから、垂直方向の視角が色度に影響することがわかった。つまり、色、階調再現の視角による変化が色度にも依存し、その変化の仕方が一様でないことを確認できた。
【００３４】
以上の結果より、視角０°を基準点として、水平方向よりも垂直方向について適切な視野角を設定する必要があることがわかった。
【００３５】
次に、同じ液晶表示装置を用いて、印刷色設計・管理をしている者を被験者として液晶表示装置の傾き範囲を確認する実験を行った。被験者数は、３０名である。
前記測定結果より、液晶表示装置の角度調節機構を用いて視点０°を基準点として画面を垂直方向の−４０°〜＋４０°の範囲について５°刻みで画面の角度を変化させ、被験者による官能検査を行った。
【００３６】
図２に液晶表示装置の傾き範囲確認実験の概要を示した。ノート型パソコンを例にとっており、画面とキーボード（図示せず）が設けられた部分とが、ヒンジ状の部材で接続されており、画面の傾きが可変である。図２（ａ）が被験者の眼と観察する画面が垂直である場合の状態を示している。つまり、視角０°での見え方である。図２（ｂ）は、図２（ａ）の画面が後方に傾いた場合、図２（ｃ）は、図２（ａ）の画面が前方に傾いた場合の状態を示している。
具体的には、画面と被験者の視線が直角となった位置、つまり視角０°で被験者の頭と顎を固定し液晶表示装置の角度調節手段を５°刻みで画面を前後に動かして行い、視角０°の位置で見た絵柄の色調と同等ではないと判断した位置で挙手をして貰った。
【００３７】
その結果、画面の傾きは視点０°を基準点として、同等ではないと判断した角度は下方向の平均値は４．６°、平均偏差１．１°であり、また、上方向の平均値は６．９°、平均偏差１．５°であったことより、垂直方向の視差角は−５°〜＋５°までを許容範囲とした。
【００３８】
以上の計測結果、実験結果より、角度確認手段の仕様を視点０°を基準点として垂直方向に−５°〜＋５°の観察角度の許容範囲内であれば、絵柄の色調が同等な状態で観察されることが明らかになった。
【００３９】
これは、液晶表示装置はＴＮ型の結果であり、液晶の表示方式や性能によって観察角度の許容範囲は異なるが、角度確認手段の仕様を決める方法自体はＩＰＳ型、ＶＡ型など他の方式でも同様である。
【００４０】
また、角度確認手段を液晶表示装置の何処に設けるべきかを検討した。
【００４１】
ヒトの垂直方向の視野角は、図３に示したように、垂直方向の中心視野角８は視線１を中心として上下方向ともに３０°で、垂直方向の周辺視野（垂直方向の視野９から垂直方向の中心視野８を差し引いた部分）は、被観察物の色を白とした場合（図３（ａ））、視線１を中心として上方向が６０°、下方向が７０°であり、被観察物の色を緑とした場合（図３（ｂ））は、周辺視野は視線を中心として上方向が３０°、下方向が４０°であることが知られている。
今回の実験結果は、このヒトの視野角の範囲に納まっている。
また、水平方向の視野角については図示していないが、中心視野は垂直方向の視野角と同様に左右とも３０°である。角度確認手段は、この範囲に設けるのが好適である。
【００４２】
しかし、中心視野に角度確認手段を設けることが困難である場合もある。その場合は、角度確認手段で観察するのは、色等を的確に判断する必要がないので、水平方向については設置位置を限定しないこととした。
【００４３】
上記実験結果を踏まえて、角度確認手段の製作を行った。具体的な角度確認手段は、可変視用印刷物と画面の少なくとも上下方向に複数の孔があけられた穿孔板である。
【実施例１】
【００４４】
角度確認手段を可変視用印刷物とした場合の一実施例を図面を参照しながら説明する。
【００４５】
図４（ａ）に今回用いた可変視用印刷物１６を示している。レンチキュラーレンズの屈折率ｎは１．５３、レンチピッチ１１は０．２５ｍｍ、レンズ曲率半径１４が０．２５ｍｍ、レンチキュラーレンズの厚み１２が０．７１ｍｍのレンチキュラーレンズ１０Ａである。また、図４（ｂ）に図４（ａ）に示したレンチキュラーレンズ１０Ａを複数個連接された形状のレンチキュラーシート１０Ｂを示している。
レンチキュラーレンズ１０Ａの平坦面に、観察者が角度確認手段を視野角−５°〜＋５°の範囲で見たときに変化しないような印刷を施した。図４の１８Ａと１８Ｂが視野角−５°〜＋５°の範囲で変化しないような印刷を施す部分に相当する。
視野角−５°〜＋５°の範囲で変化しないような印刷幅は、
（レンチキュラーレンズの厚み）÷（レンチキュラーレンズの屈折率ｎ）×ｔａｎθ
を視線を中心として上下に必要であるので２倍した。レンチキュラーレンズの厚み１２は０．７１ｍｍ、レンチキュラーレンズの屈折率ｎは１．５３、視野角θは５°である。
実施例では、図４（ａ）に示したようにレンズピッチ１１に対し、白（紙白）１７Ａ、黒ベタ１８Ａ、（視線の位置、つまり視野角０°）、黒ベタ１８Ｂ、白（紙白）１７Ｂの順に印刷した。白（紙白）１７Ａ、黒ベタ１８Ａ、黒ベタ１８Ｂ、白（紙白）１７Ｂは、おのおのの幅は、０．０８４ｍｍ、０．０４１ｍｍ、０．０４１ｍｍ、０．０８４ｍｍとなった。
実際の印刷物は、白（紙白）０．０８２ｍｍ、黒ベタ０．１６９ｍｍの幅の縞模様を印刷すればよい。黒ベタの中心がレンチキュラーレンズ１０の凸部の頂点と対応する位置に設ける。
前記縞模様を紙に印刷してレンチキュラーレンズ１０Ａの平坦面に貼着してもよいし、レンチキュラーレンズ１０Ａの平坦面に直接印刷してもよい。
印刷は、通常のオフセット印刷などで適宜適応可能である。
実施例では、白（紙白）、黒ベタの縞模様としているが、白（紙白）、黒ベタを絵柄としても構わない。例えば、黒ベタの部分に「ＧＯＯＤ!！」という青い文字を前景とし背景を黄色と印刷し、白（紙白）の部分に「ＮＧ」という赤い文字と背景を白（紙白）と印刷するなどである。その場合、観察者が角度確認手段を視野角−５°〜＋５°の範囲から見ると「ＧＯＯＤ！！」が観察され、他の範囲から観察すると「ＮＧ」が観察され、作業者が適切な角度から画面を見ているかが、容易に判断できる。
【００４６】
図５（ａ）は、大きなモニターあるいはディスプレイなどの液晶表示装置１９のフレームに角度確認手段２３Ａを貼着した例を示している。
液晶表示装置１９の左フレーム２１Ｌには、画面の垂直方向の長さと略同じ長さの角度確認手段２３Ａを貼着している。
図５（ｂ）は、左横から見た図である。液晶表示装置１９の左フレーム２１Ｌには、小さめな角度確認手段２３Ａを貼着している。小さめな角度確認手段２３Ａは画面の一部を観察する場合に有効である。
図５（ｃ）は、右横から見た図である。液晶表示装置１９の右フレーム２１Ｒには、大きな角度確認手段２３Ａを貼着している。大きな角度確認手段２３Ａは画面全体を観察する場合に有効である。
このように、角度確認手段２３Ａの大きさは適宜選択が可能である。
また、上フレーム２１Ｔあるいは下フレーム２１Ｂに貼着スペースがあれば角度確認手段２３を貼着しても構わない。この場合は、水平方向の角度を確認することも可能なり、好ましい。
角度確認手段２３Ａの裏面には、脱着可能なように粘着手段が設けられている。このため、この角度確認手段２３Ａが画面を見る際に目障りであれば容易に剥がすことが可能である。
なお、脱着可能な貼着手段としては、ゼリー状の接着剤があげられる。
【００４７】
図６（ａ）は、所謂ノートパソコンなどの液晶表示装置１９に角度確認手段２３Ａを貼着した例を示している。
液晶表示装置１９の左フレーム２１Ｌには、画面の垂直方向の長さと略同じ長さの角度確認手段２３Ａを貼着している。
図６（ｂ）は、左横から見た図である。
液晶表示装置１９の左フレーム２１Ｌには、小さめな角度確認手段２３Ａを貼着している。小さめな角度確認手段２３Ａは画面の一部を観察する場合に有効である。
図６（ｃ）は、右横から見た図である。液晶表示装置１９の右フレーム２１Ｒには、大きな角度確認手段２３Ａを貼着している。大きな角度確認手段２３Ａは画面全体を観察する場合に有効である。
このように、角度確認手段２３Ａの大きさは適宜選択が可能である。
また、上フレーム２１Ｔあるいは下フレーム２１Ｂに貼着スペースがあれば角度確認手段２３Ａを貼着しても構わない。この場合は、水平方向の角度を確認することも可能となり、好ましい。
角度確認手段２３Ａの裏面には、脱着可能な粘着手段が設けられている。このため、この角度確認手段２３Ａが画面を見る際に目障りであれば容易に剥がすことが可能である。
【００４８】
角度調整手段を液晶表示装置の左フレーム中央に貼着して、前記被験者３０名に角度調整手段を見ながら適切と思える角度に画面の角度調整を行ってもらったところ、視角０°に対し、平均で０．４°、標準偏差０．７４°の角度の範囲内で適切な画面の角度に合わせることができた。このことより、角度調整手段に可変視用印刷物を適用することは有効と確認された。
【実施例２】
【００４９】
角度確認手段を画面の少なくとも上下方向に複数の孔があけられた穿孔板とした場合の一実施例を図面を参照しながら説明する。
【００５０】
穿孔板２４は、画面を垂直方向に視野角−５°〜＋５°の範囲で傾けた時に、液晶表示装置の画面の絵柄等が見えるサイズの水平方向に長い楕円状の孔を一定間隔で複数開けた穿孔板を製作した。
図７（ａ）は、穿孔板２４を正面から見た図である。垂直方向の長さ２６の横長の孔２５が上下方向に複数個あいている。
図７（ｂ）は、穿孔板２４を横から見た図である。穿孔板の厚み２７の穿孔板２４の背面には画面２０近接している。
視野角０°〜＋５°の範囲で変化しないような孔の垂直方向の幅は、
（穿孔板の厚み）÷（空気の屈折率ｎ０）×ｔａｎθ
で求められる。空気の屈折率ｎ０は１、視野角θは５°である。
例えば、穿孔板の厚み２７を１ｍｍとすると、孔の垂直方向の長さ２６は０．０８７ｍｍとなった。水平方向の幅と孔と孔の幅については特に規定しなかったが、孔の垂直方向の長さと同寸法かそれより広ければ良い。
穿孔板は、黒単色として、上面からの光線の反射を抑え、液晶表示装置のバックライトが孔以外から表面に漏れないようにした。
【００５１】
図８（ａ）は、大きなモニターあるいはディスプレイなどの液晶表示装置１９のフレームに角度確認手段２３Ｂを貼着した例を示している。
液晶表示装置１９の左フレーム２１Ｌには、画面の垂直方向の長さと略同じ長さの角度確認手段２３Ｂを貼着している。
図８（ｂ）は、左横から見た図である。
液晶表示装置１９の左フレーム２１Ｌには、小さめな角度確認手段２３Ａを貼着している。小さめな角度確認手段２３Ａは画面の一部を観察する場合に有効である。
図８（ｃ）は、右横から見た図である。液晶表示装置１９の右フレーム２１Ｒには、大きな角度確認手段２３Ａを貼着している。大きな角度確認手段２３Ａは画面全体を観察する場合に有効である。
このように、角度確認手段２３Ｂの大きさは適宜選択が可能である。
また、上フレーム２１Ｔあるいは下フレーム２１Ｂに貼着スペースがあれば角度確認手段２３Ｂを貼着しても構わない。この場合は、水平方向の角度を確認することができる。
角度確認手段２３Ｂの裏面には、脱着可能な粘着手段が設けられている。このため、この角度確認手段２３Ｂが画面を見る際に目障りであれば容易に剥がすことが可能である。
【００５２】
図９（ａ）は、所謂ノートパソコンなどの液晶表示装置１９に角度確認手段２３Ｂを貼着した例を示している。
液晶表示装置１９の左フレーム２１Ｌには、画面の垂直方向と略同じ長さの角度確認手段２３Ｂを貼着している。
図９（ｂ）は、左横から見た図である。液晶表示装置１９の左フレーム２１Ｌには、小さめな角度確認手段２３Ａを貼着している。小さめな角度確認手段２３Ａは画面の一部を観察する場合に有効である。
図９（ｃ）は、右横から見た図である。液晶表示装置１９の右フレーム２１Ｒには、大きな角度確認手段２３Ａを貼着している。大きな角度確認手段２３Ａは画面全体を観察する場合に有効である。
このように、角度確認手段２３Ｂの大きさは適宜選択が可能である。
また、上フレーム２１Ｔあるいは下フレーム２１Ｂに貼着スペースがあれば角度確認手段２３Ｂを貼着しても構わない。
角度確認手段２３の裏面には、脱着可能な粘着手段が設けられている。このため、この角度確認手段２３が画面を見る際に目障りであれば容易に剥がすことが可能である。
【００５３】
角度調整手段を液晶表示装置の左フレーム中央に貼着して、被験者３０名に角度調整手段を見ながら適切と思える角度に画面の角度調整を行ってもらったところ、視角０°に対し、平均で０．４°、標準偏差０．７４°の角度範囲内で適切な角度に合わせることができた。
このことより、角度調整手段に画面の少なくとも上下方向に複数の孔があけられた穿孔板を適応することは有効と確認された。
【図面の簡単な説明】
【００５４】
【図１】ＴＮ型液晶表示装置の視野角特性図    （ａ）輝度の水平方向視角依存性    （ｂ）色度の水平方向視角依存性    （ｃ）輝度の垂直方向視角依存性    （ｄ）色度の垂直方向視角依存性
【図２】液晶表示装置の傾き範囲確認実験の説明図    （ａ）視線と画面が垂直である時、被験者が見る色と視線の位置    （ｂ）視線と画面が垂直より角度が大きい時、被験者が見る色と視線の位置    （ｃ）視線と画面が垂直より角度が小さい時、被験者が見る色と視線の位置
【図３】ヒトの垂直視野角の説明図    （ａ）垂直方向視野角（被観察物が白）    （ｂ）垂直方向視野角（被観察物が緑色）
【図４】可変視用印刷物からなる角度確認手段の説明図    （ａ）レンチキュラーレンズ    （ｂ）レンチキュラーシート
【図５】本発明に係る可変視用印刷物からなる角度確認手段を装着した液晶表示装置の説明図
【図６】本発明に係る可変視用印刷物からなる角度確認手段を装着した他の液晶表示装置の説明図
【図７】穿孔板からなる角度確認手段の説明図      （ａ）穿孔板正面図      （ｂ）穿孔板側面図
【図８】本発明に係る穿孔板からなる角度確認手段を装着した液晶表示装置の説明図
【図９】本発明に係る穿孔板からなる角度確認手段を装着した他の液晶表示装置の説明図
【符号の説明】
【００５５】
１…視線
２…視線と画面が垂直なる角度
３…視線とプラス方向の角度
４…視線とマイナス方向の角度
５…視線の画面が垂直なる角度で見えた色
６…視線とプラス方向の角度で見えた色
７…視線とマイナス方向の角度で見えた色
８…垂直方向の中心視野角
９…垂直方向の周辺視野角
１０Ａ…レンチキュラーレンズ
１０Ｂ…レンチキュラーシート
１１…レンズピッチ
１２…レンチキュラーレンズの厚み
１３…曲率半径の中心
１４…曲率半径
１５…視野角
１６…可変視用印刷物
１７Ａ…白（紙白）の幅
１７Ｂ…白（紙白）の幅
１８Ａ…黒ベタの幅
１８Ｂ…黒ベタの幅
１９…液晶表示装置
２０…画面
２１Ｔ…上フレーム
２１Ｂ…下フレーム
２１Ｌ…左フレーム
２１Ｒ…右フレーム
２２…角度調整機構
２３Ａ…角度確認手段（立体視用あるいは可変視用印刷物）
２３Ｂ…角度確認手段（画面の少なくとも上下方向に複数の孔があけられた穿孔板）
２４…穿孔板
２５…孔
２６…孔の垂直方向の長さ
２７…穿孔板の厚み
【図３】
0005211605.tif 000002
【図４】
0005211605.tif 000003
【図７】
0005211605.tif 000004
【図１】
0005211605.tif 000005
【図２】
0005211605.tif 000006
【図５】
0005211605.tif 000007
【図６】
0005211605.tif 000008
【図８】
0005211605.tif 000009
【図９】
0005211605.tif 000010